(57)【要約】統合ルータが提供される。統合ルータは、少なくとも１つのネットワークインタフェースと、電源入力と、電源出力と、パワーサイクリングスイッチとを含む。少なくとも１つのネットワークインタフェースは、第１のネットワークデバイスを第２のネットワークデバイスと電子通信させるように動作する。電源入力は、電源から電力を受け取るように動作する。電源出力は、第２のネットワークデバイスに電力を供給するように動作する。パワーサイクリングスイッチは、電源入力を電源出力に電気的に接続し、リモートネットワークデバイスにより少なくとも１つのネットワークインタフェースを介して切り替えられることにより第２のネットワークデバイスの電源入れ直しを行うように動作する。
2020517202.tif 000002
【特許請求の範囲】
【請求項１】
統合ルータであって、
第１のネットワークデバイスを第２のネットワークデバイスと無線により電子通信させるように動作する少なくとも１つのネットワークインタフェースと、
電源からＡＣ電力を受け取るように動作するＡＣ電源入力と、
前記第２のネットワークデバイスに前記ＡＣ電力を供給するように動作するＡＣ電源出力と、
前記電源入力を前記電源出力に電気的に接続するとともに、リモートネットワークデバイスにより前記少なくとも１つのネットワークインタフェースを介して切り替えられることにより前記第２のネットワークデバイスの電源入れ直しを行うように動作するパワーサイクリングスイッチと、
を備える統合ルータ。
【請求項２】
前記第１のネットワークデバイスと前記第２のネットワークデバイスが別個のＯＳＩレイヤ３ネットワーク上に存在する、請求項１に記載の統合ルータ。
【請求項３】
前記リモートネットワークデバイスが前記第１のネットワークデバイスである、請求項１に記載の統合ルータ。
【請求項４】
前記少なくとも１つのネットワークインタフェースがさらに、第３のネットワークデバイスを第４のネットワークデバイスと電子通信させるように動作する、請求項１に記載の統合ルータ。
【請求項５】
前記第３のネットワークデバイスと前記第４のネットワークデバイスが別個のＯＳＩレイヤ３ネットワーク上に存在する、請求項４に記載の統合ルータ。
【請求項６】
前記電源から前記第２のネットワークデバイスへの電力遮断を検出し、検出された電力遮断に関するデータを前記リモートネットワークデバイスに伝達するように動作する電圧低下検出器をさらに備える請求項１に記載の統合ルータ。
【請求項７】
前記検出された電力遮断が３５ｍｓ以下である、請求項６に記載の統合ルータ。
【請求項８】
前記電源からの前記電力を分析し、前記電力に関するデータを前記リモートネットワークデバイスに伝達するように動作する電力波形モニタをさらに備える請求項１に記載の統合ルータ。
【請求項９】
システムであって、
少なくとも１つの無線ネットワークインタフェースと、電源からＡＣ電力を受け取るように動作するＡＣ電源入力と、ＡＣ電源出力と、前記ＡＣ電源入力を前記ＡＣ電源出力に電気的に接続するパワーサイクリングスイッチとを有する統合ルータと、
前記少なくとも１つの無線ネットワークインタフェースを介して互いに電子的に通信するように動作する第１のネットワークデバイスおよび第２のネットワークデバイスと、
前記少なくとも１つの無線ネットワークインタフェースを介して前記パワーサイクリングスイッチを切り替えるように動作するリモートネットワークデバイスと、を備え、
前記ＡＣ電源出力は、前記パワーサイクリングスイッチの切り替えにより前記第２のネットワークデバイスの電源入れ直しが行われるように前記第２のネットワークデバイスに前記ＡＣ電力を供給するように動作する、システム。
【請求項１０】
前記第１のネットワークデバイスと前記第２のネットワークデバイスが別個のＯＳＩレイヤ３ネットワーク上に存在するように動作する、請求項９に記載のシステム。
【請求項１１】
前記リモートネットワークデバイスが前記第１のネットワークデバイスである、請求項９に記載のシステム。
【請求項１２】
前記少なくとも１つの無線ネットワークインタフェースは、第３のネットワークデバイスを第４のネットワークデバイスと電子通信させるように動作する、請求項９に記載のシステム。
【請求項１３】
前記第３のネットワークデバイスと前記第４のネットワークデバイスが別個のＯＳＩレイヤ３ネットワーク上に存在する、請求項１２に記載のシステム。
【請求項１４】
前記統合ルータがさらに、前記電源から前記第２のネットワークデバイスへの電力遮断を検出して、検出された電力遮断に関するデータを前記リモートネットワークデバイスに伝達するように動作する電圧低下検出器を含む、請求項９に記載のシステム。
【請求項１５】
前記検出された電力遮断が３５ｍｓ以下である、請求項１４に記載のシステム。
【請求項１６】
前記統合ルータがさらに、前記電源からの前記電力を分析して、前記電力に関するデータを前記リモートネットワークデバイスに伝達するように動作する電力波形モニタを含む、請求項９に記載のシステム。
【請求項１７】
方法であって、
統合ルータの少なくとも１つのネットワークインタフェースを介して第１のネットワークデバイスを第２のネットワークデバイスと電子通信させること、
前記統合ルータの電源入力で電源からのＡＣ電力を受け取ること、
前記統合ルータのパワーサイクリングスイッチにより前記電源入力に電気的に接続された前記統合ルータのＡＣ電源出力を介して前記第２のネットワークデバイスに前記ＡＣ電力を供給すること、
リモートネットワークデバイスにより前記少なくとも１つのネットワークインタフェースを介して前記パワーサイクリングスイッチを切り替えることにより、前記第２のネットワークデバイスの電源入れ直しを行うこと、を備える方法。
【請求項１８】
前記第１のネットワークデバイスと前記第２のネットワークデバイスが別個のＯＳＩレイヤ３ネットワーク上に存在する、請求項１７に記載の方法。
【請求項１９】
前記電源から前記第２のネットワークデバイスへの電力遮断を前記統合ルータの電圧低下検出器により検出すること、
前記検出された電力遮断に関するデータを、前記電圧低下検出器を介して前記リモートネットワークデバイスに伝達すること、
をさらに備える請求項１７に記載の方法。
【請求項２０】
前記検出された電力遮断が３５ｍｓ以下である、請求項１９に記載の方法。
【発明の詳細な説明】
【技術分野】
【０００１】
本発明の実施形態は、概してコンピュータネットワーキングデバイスに関し、具体的には、パワーサイクリングスイッチを有する統合ルータに関する。この出願は、２０１７年３月１５日に出願された米国仮出願第６２／４７１，５７３号の優先権と利益を主張し、その開示の全体が参照によって本明細書に組み込まれる。
【背景技術】
【０００２】
無線ルータは、ルータの機能を実行するとともに無線アクセスポイントの機能も含むデバイスである。無線ルータは、インターネットまたはプライベートコンピュータネットワークへのアクセスを提供するために使用される。無線ルータは、有線ローカルエリアネットワーク（「ＬＡＮ」）、無線専用ＬＡＮ（「ＷＬＡＮ」）、または有線／無線の混合ネットワークで機能することができる。特に、無線ルータは、少数の有線ネットワークデバイスと任意の数の無線ネットワークデバイスとを相互にしたりインターネットに接続したりするとともに、ファイルの共有および印刷を提供する便利な方法を提供する。
【０００３】
現在、無線ルータは、例えば現金自動預け払い機（「ＡＴＭ」）などの遠隔地にあるネットワークデバイスを中央サーバ／ネットワークに接続するために使用されている。しかしながら、多くのネットワークデバイスは、通常、システムエラー／ロックアップをクリア／修正するため、および／または、ハードウェア／ファームウェア／ソフトウェアのアップグレードを有効にするために、電源入れ直し、つまり「ハードリセット」を行う必要がある。本明細書において電気デバイスに関して使用される「電源入れ直し」（power cycle）および「ハードリセット」という用語は、そのようなデバイスへの電力を一時的に制限する処理を指す。
【０００４】
ネットワークデバイスの電源入れ直しのためにそのデバイスの物理的場所にメンテナンス担当者を派遣することは費用がかかり時間もかかるため、例えばメンテナンス担当者などのオペレータまたはコンピュータがリモートでネットワークデバイスの電源入れ直しを行うためのリモート電源スイッチが開発されている。
【発明の概要】
【発明が解決しようとする課題】
【０００５】
スタンドアロン無線ルータやスタンドアロンリモート電源スイッチは本技術分野で知られているが、現在のデバイスは双方の技術の機能を単一のフォームファクタに統合していない。従って、遠隔地にあるネットワークデバイスをサポートする現在のソリューションは、ネットワークデバイスの位置に２つの個別のスタンドアロンデバイス、つまり、無線ルータとリモート電源スイッチの双方の配置を必要とする。一般には、２つの個別の物理デバイスにそれぞれの機能を分割することによりリモートネットワークトポグラフィーの設計に柔軟性がもたらされると考えられているため、コンピュータネットワーキングデバイスのメーカはこれまでリモート電源スイッチの機能を無線ルータに組み込むことを求めていない。
【０００６】
このため、統合されたパワーサイクリングスイッチを備えるルータが必要とされている。
【課題を解決するための手段】
【０００７】
一実施形態では、統合ルータが提供される。この統合ルータは、少なくとも１つのネットワークインタフェースと、電源入力と、電源出力と、パワーサイクリングスイッチとを含む。前記少なくとも１つのネットワークインタフェースは、第１のネットワークデバイスを第２のネットワークデバイスと電子通信させるように動作する。前記電源入力は、電源から電力を受け取るように動作する。前記電源出力は、前記第２のネットワークデバイスに電力を供給するように動作する。前記パワーサイクリングスイッチは、前記電源入力を前記電源出力に電気的に接続し、前記少なくとも１つのネットワークインタフェースを介してリモートネットワークデバイスにより切り替えられることで前記第２のネットワークデバイスの電源入れ直しを行うように動作する。
【０００８】
別の実施形態では、システムが提供される。このシステムは、統合ルータと、第１のネットワークデバイスと、第２のネットワークデバイスと、リモートネットワークデバイスとを含む。前記統合ルータは、少なくとも１つのネットワークインタフェースと、電源から電力を受け取るように動作する電源入力と、電源出力と、前記電源入力を前記電源出力に電気的に接続するパワーサイクリングスイッチとを備える。前記第１のネットワークデバイスと前記第２のネットワークデバイスは、前記少なくとも１つのネットワークインタフェースを介して互いに電子通信するように動作する。前記リモートネットワークデバイスは、前記少なくとも１つのネットワークインタフェースを介して前記パワーサイクリングスイッチを切り替えるように動作する。前記電源出力は、前記パワーサイクリングスイッチの切り替えによって前記第２のネットワークデバイスの電源入れ直しが行われるように前記第２のネットワークデバイスに電力を供給するように動作する。
【０００９】
さらに別の実施形態では、方法が提供される。この方法は、統合ルータの少なくとも１つのネットワークインタフェースを介して第１のネットワークデバイスを第２のネットワークデバイスと電子通信させること、前記統合ルータの電源入力において電源からの電力を受け取ること、前記統合ルータのパワーサイクリングスイッチにより前記電源入力に電気的に接続された前記統合ルータの電源出力を介して前記第２のネットワークデバイスに電力を供給すること、リモートネットワークデバイスにより前記少なくとも１つのネットワークインタフェースを介して前記パワーサイクリングスイッチを切り替えることによって前記第２のネットワークデバイスの電源入れ直しを行うこと、を含む。
【図面の簡単な説明】
【００１０】
本発明は、添付の図面を参照して、以下の非限定的な実施形態の説明を読むことで、より理解され得るものとなる。
【図１】本発明の一実施形態による統合ルータの斜視図。
【図２】本発明の一実施形態による図１の統合ルータの分解図。
【図３】本発明の一実施形態による図１の統合ルータの高レベルブロック図。
【図４】本発明の一実施形態による図１の統合ルータの詳細なブロック図。
【図５】本発明の一実施形態による図１の統合ルータを含むシステムの図。
【発明を実施するための形態】
【００１１】
以下、本発明の例示的な実施形態について詳細に参照し、その例が添付の図面に示されている。可能な限り、図面全体で使用される同じ参照符号は、重複する説明を行うことなく、同一のまたは同様な部分を指す。
【００１２】
本明細書において使用される「実質的に」、「概して」、「約」という用語は、構成要素またはアセンブリの機能目的を達成するのに適した理想的な望ましい条件に対して、合理的に達成可能な製造およびアセンブリの公差内の条件を示す。本明細書において使用される「電気的に結合される」、「電気的に接続される」、「電気通信」という記載は、電流が一方から他方に流れ得るように参照要素が直接的にまたは間接的に接続されることを意味する。この接続は、直接的な導電接続（すなわち、容量要素、誘導要素、または能動要素を介さない接続）、誘導接続、容量接続、および／または任意の他の適切な電気接続を含み得る。介在する構成要素が存在していてもよい。本明細書においてネットワークデバイスに関して使用される「ネットワークインタフェース」という用語は、コンピュータネットワーク接続（例えば、ＴＣＰ／ＩＰ接続）をサポートする物理ネットワーク接続インタフェース（例えば、無線ポートおよび／またはＲＪ−４５や同軸接続などの有線接続ポートを有するイーサネット（登録商標）カード）を指す。本明細書において使用される「リアルタイム」という用語は、ユーザが十分に即座と感じるか、プロセッサが外部の処理に追従することができる処理応答性のレベルを意味する。
【００１３】
さらに、本明細書では、ＴＣＰ／ＩＰスタック準拠のネットワーキングデバイスに関して本発明の実施形態を説明するが、本明細書に開示される実施形態と原理は、パケット／データグラムのスイッチングおよび／またはルーティングを提供する他のネットワークパラダイム（例えば、ＩＰＸ／ＳＰＸ）にも同様に適用可能であることが理解され得る。
【００１４】
図１および図２を参照すると、本発明の一実施形態による統合ルータ１０（以下では、単に「ルータ」とも呼ぶ）が示されている。統合ルータ１０は、少なくとも１つのネットワークインタフェース１２と、電源入力１４と、少なくとも１つの電源出力１６と、パワーサイクリングスイッチ１８とを含む。少なくとも１つのネットワークインタフェース１２は、第１のネットワークデバイス２０（図５）を第２のネットワークデバイス２２（図５）と電子通信させるように動作する。電源入力１４は、電源２４（図５）から電力を受け取るように動作する。電源出力１６は、第２のネットワークデバイス２２に電力を供給するように動作する。パワーサイクリングスイッチ１８は、電源入力１４を電源出力１６に電気的に接続し、少なくとも１つのネットワークインタフェース１２を介してリモートネットワークデバイス２６（図５）により切り替えられることで第２のネットワークデバイス２２の電源入れ直しを行うように動作する。
【００１５】
実施形態において、統合ルータ１０は、頂部カバー２８と底部カバー３０とで形成されるとともに、少なくとも１つのプロセッサ３４とメモリデバイス３６とを有するプリント回路基板３２を収容する外部ハウジングをさらに含み得る。さらに、統合ルータ１０は、前部オーバーレイ３８、後部オーバーレイ４０、一つまたは複数のゴム製の足４４に配置された一つまたは複数の磁石４２、ハウジング２８，３０上に配置された一つまたは複数のラベル４６，４８、一つまたは複数の締結具５０（例えば、ネジ）、および／または１つまたは複数のインジケータライト５２を含み得る。理解され得るように、実施形態では、ルータ１０は、電力損失の場合にルータ１０にバックアップ電力を供給するように動作する電池パック（図示略）をさらに含んでもよく、ルータ１０が外部ユーザ／マシン（例えば、第１のネットワークデバイス２０および／または第２のネットワークデバイス２２）にメッセージを送信することによりルータ１０の電力損失をユーザに通知できるようにしてもよい。
【００１６】
図１および図２に示されるように、電源入力１４と電源出力１６は、ハウジング２８，３０を貫通している。電源入力１４は、ヒューズホルダを備えたユニバーサル交流（「ＡＣ」）スナップインレットを含む任意のタイプの電源コネクタ／アダプタとすることができる。同様に、電源出力１６は、ＮＥＭＡ５−１５レセプタクルを含む任意のタイプの電源コネクタ／アダプタとすることができる。理解され得るように、電源２４（図５）からの電力は、ＡＣまたは直流（「ＤＣ」）とすることができる。
【００１７】
図３および図４には、統合ルータ１０の高レベルブロック図（図３）と、統合ルータ１０のより詳細なブロック図（図４）が示されている。図３に示されるように、少なくとも１つのネットワークインタフェース１２は、有線ネットワークインタフェース５４（例えば、ＲＪ−４５または同軸コネクタを介したＴＣＰ／ＩＰ）および／または無線ネットワークインタフェース（例えば、８０２．１１ＷｉＦｉ（登録商標）インタフェース５６、セルラーインタフェース５８、および／またはブルートゥース（登録商標）インタフェース６０）を含み得る。理解され得るように、本発明の実施形態は、他の適切なネットワーキングプロトコルをサポートする他のタイプの有線および無線ネットワークインタフェースを実装してもよい。
【００１８】
図３および図４にさらに示されるように、統合ルータ１０は、電圧低下（brownout）検出器６２および／または電力波形モニタ６４も含み得る。理解され得るように、電圧低下検出器６２は、電源２４（図５）から第２のネットワークデバイス２２（図５）への電力遮断を検出して、検出された電力遮断に関するデータをリモートネットワークデバイス２６（図５）に伝達するように動作する。実施形態では、電圧低下検出器６２は、３５ミリ秒以下持続する電力遮断を検出することができる。電力波形モニタ６４は、電源２４からの電力を分析して、その電力に関するデータをリモートネットワークデバイス２６に伝達するように動作する。
【００１９】
図５に示されるように、統合ルータ１０は、第１のネットワークデバイス２０と、第２のネットワークデバイス２２と、リモートネットワークデバイス２６とを含むシステム６４の一部を形成し得る。理解され得るように、図５において、両方向の矢印線と非矢印線は、それぞれネットワーク接続と電力接続／回路を表している。実施形態では、リモートネットワークデバイス２６は、第１のネットワークデバイス２０とは別個の離れたものであり得る。しかしながら、他の実施形態では、第１のネットワークデバイス２０がリモートネットワークデバイス２６であり得る。
【００２０】
本発明の一実施形態によれば、動作時、システム６４は、１つまたは複数のネットワークデバイス（例えば、ＡＴＭ２２）とモバイルデバイス７２のゲートウェイとして機能するようにセルラーネットワーク７０を介してインターネット６８に接続される統合ルータ１０を有するネットワーク６６を含み得る。図５にさらに示されるように、電源２４は、電源入力１４（図２〜図４）を介してネットワーク６６の統合ルータ１０に接続され、ＡＴＭ２２の電源入力（例えば、電源プラグ）は同じ統合ルータ１０の電源出力１６（図２〜図４）に接続／プラグインされる。
【００２１】
理解され得るように、システム６４は、ネットワーク７４内においてＡＴＭ２２のゲートウェイとして機能するように有線ＷＡＮ接続を介してインターネット６８に接続される統合ルータ１０を有する別のネットワーク７４を含み得る。理解され得るように、ネットワーク７４のＡＴＭ２２は、ネットワーク６６のＡＴＭ２２について上述した方法と同じ方法で、ネットワーク７４の統合ルータ１０を介して電源２４から電力を受け取る。
【００２２】
さらに理解され得るように、システム６４は、ゲートウェイデバイス７８（例えば、ファイアウォール）の背後に、統合ルータ１０およびＡＴＭ２２とともに、統合ルータ１０を介してゲートウェイ７８に接続される１つまたは複数の追加のネットワークデバイス（例えば、スマートフォン８０やラップトップ８２）を有するさらに別のネットワーク７６を含み得る。理解され得るように、ネットワーク７６のＡＴＭ２２は、ネットワーク６６，７４のＡＴＭ２２について上述した方法と同じ方法で、ネットワーク７６の統合ルータ１０を介して電源２４から電力を受け取る。
【００２３】
理解され得るように、統合ルータ１０、第２のネットワークデバイス２２（例えば、ＡＴＭ）、および／または追加のネットワークデバイス７２，８０，８２に対して有線および／または無線接続の異なる組み合わせを利用する他のネットワーク構成も可能である。さらに、図５では開放型システム間相互接続（「ＯＳＩ」）モデルのレイヤ３におけるルーティングトラフィックとして統合ルータ１０が示されているが、統合ルータ１０の実施形態はＯＳＩレイヤ２のパケット／データグラムを切り替え得ることが理解され得る。
【００２４】
従って、図５に示されるように、システム６４内における第２のネットワークデバイス２２（例えば、ＡＴＭ）は、ネットワーク６６，７４，７６とは別のネットワーク８４に位置する第１のネットワークデバイス２０（例えば、データセンタ／サーバ）とインターネット６８を介して電子的に通信することができる。また、オペレータ／ユーザ／コンピュータは、異なるネットワーク８４および／または８６に存在し得るリモートネットワークデバイス２６を介して、各ネットワーク６６，７４，７６内における第２のネットワークデバイス２２の電源入れ直しを行うことができる。さらに、統合ルータ１０は、インターネット６８を介して互いに通信するための、種々のネットワーク６６，７４，７６にわたって分散され得る追加のネットワークデバイス７２，８０，８２を提供する。
【００２５】
最後に、システム６４の統合ルータ１０および他の構成要素は、本明細書に記載される機能を実行するために、および／または本明細書に記載される結果を達成する（リアルタイムとし得る）ための必要な電子機器、ソフトウェア、メモリ、ストレージ、データベース、ファームウェア、ロジック／ステートマシン、マイクロプロセッサ、通信リンク、ディスプレイあるいは他の視覚もしくは音声ユーザインタフェース、印刷デバイス、および他の入力／出力インタフェースを含み得ることも理解され得る。例えば、上記のように、システムは、少なくとも１つのプロセッサと、ランダムアクセスメモリ（ＲＡＭ）および読み出し専用メモリ（ＲＯＭ）を含み得るシステムメモリ／データストレージ構造とを含み得る。システムの少なくとも１つのプロセッサは、１つまたは複数の汎用マイクロプロセッサと、数値演算プロセッサなどの１つまたは複数の補助コプロセッサとを含み得る。本明細書に記載されるデータストレージ構造は、磁気メモリ、光学メモリ、および／または半導体メモリの適切な組み合わせを含むことができ、例えば、ＲＡＭ、ＲＯＭ、フラッシュドライブ、コンパクトディスクなどの光ディスク、および／またはハードディスクもしくはドライブを含み得る。
【００２６】
また、本明細書に開示される方法をコントローラに実行させるように構成されたソフトウェアアプリケーションが、コンピュータ可読媒体から少なくとも１つのプロセッサのメインメモリに読み込まれ得る。本明細書において使用される「コンピュータ可読媒体」という用語は、システム６４の少なくとも１つのプロセッサ（または本明細書に記載されるデバイスの任意の他のプロセッサ）に実行のための命令を提供するか、もしくは命令を提供することに関与する任意の媒体を指す。このような媒体は、不揮発性媒体および揮発性媒体を含むがこれらに限定されない多くの形態を取り得る。不揮発性メディアとしては、例えばメモリなどの、光学ディスク、磁気ディスク、または光磁気ディスクが挙げられる。揮発性メディアとしては、一般的にメインメモリを構成するダイナミックランダムアクセスメモリ（ＤＲＡＭ）が挙げられる。コンピュータ可読媒体の一般的な形態には、例えば、フロッピー（登録商標）ディスク、フレキシブルディスク、ハードディスク、磁気テープ、その他の磁気媒体、ＣＤ−ＲＯＭ、ＤＶＤ、その他の光学媒体、ＲＡＭ、ＰＲＯＭ、ＥＰＲＯＭ、またはＥＥＰＲＯＭ（電子的に消去可能な、プログラム可能な読み出し専用メモリ）、ＦＬＡＳＨ−ＥＥＰＲＯＭ、その他のメモリチップもしくはカートリッジ、またはコンピュータ読み取り可能なその他の媒体が含まれる。
【００２７】
なお、実施形態では、ソフトウェアアプリケーション内の命令シーケンスの実行によって少なくとも１つのプロセッサが本明細書に記載される方法／プロセスを実行するが、ソフトウェア命令に代えてまたはそれと組み合わせて、本発明の方法／プロセスを実装するためにハードワイヤード回路が用いられてもよい。従って、本発明の実施形態は、ハードウェアおよび／またはソフトウェアの特定の組み合わせに限定されない。
【００２８】
さらには、上記の説明は例示的なものであり、限定的なものではないことを理解されたい。例えば、上記各実施形態（および／またはその態様）は互いに組み合わせて使用することができる。また、本発明の教示に特定の状況または材料を適合させるために本発明の範囲から逸脱することなく多くの変形を行うことができる。
【００２９】
例えば、一実施形態では、統合ルータが提供される。この統合ルータは、少なくとも１つのネットワークインタフェースと、電源入力と、電源出力と、パワーサイクリングスイッチとを含む。前記少なくとも１つのネットワークインタフェースは、第１のネットワークデバイスを第２のネットワークデバイスと電子通信させるように動作する。前記電源入力は、電源から電力を受け取るように動作する。前記電源出力は、前記第２のネットワークデバイスに電力を供給するように動作する。前記パワーサイクリングスイッチは、前記電源入力を前記電源出力に電気的に接続し、リモートネットワークデバイスにより前記少なくとも１つのネットワークインタフェースを介して切り替えられることにより、前記第２のネットワークデバイスの電源入れ直しを行うように動作する。特定の実施形態では、前記第１のネットワークデバイスと前記第２のネットワークデバイスは、別個のＯＳＩレイヤ３ネットワーク上に存在する。特定の実施形態では、前記リモートネットワークデバイスが前記第１のネットワークデバイスである。特定の実施形態では、前記少なくとも１つのネットワークインタフェースはさらに、第３のネットワークデバイスを第４のネットワークデバイスと電子通信させるように動作する。特定の実施形態では、前記第３のネットワークデバイスと前記第４のネットワークデバイスは、別個のＯＳＩレイヤ３ネットワーク上に存在する。特定の実施形態では、前記統合ルータは、前記電源から前記第２のネットワークデバイスへの電力遮断を検出して、検出された電力遮断に関するデータを前記リモートネットワークデバイスに伝達するように動作する電圧低下検出器をさらに含む。特定の実施形態において、前記検出された電力遮断が３５ｍｓ以下である。特定の実施形態では、前記統合ルータは、前記電源からの電力を分析して、その電力に関するデータを前記リモートネットワークデバイスに伝達するように動作する電力波形モニタをさらに含む。特定の実施形態では、前記少なくとも１つのネットワークインタフェースが有線ネットワークインタフェースを含む。特定の実施形態では、前記少なくとも１つのネットワークインタフェースが無線ネットワークインタフェースを含む。特定の実施形態では、前記無線ネットワークインタフェースが、セルラー接続、ＷｉＦｉ接続、およびブルートゥース接続のうちの少なくとも１つである。
【００３０】
他の実施形態は、システムを提供する。このシステムは、統合ルータと、第１のネットワークデバイスと、第２のネットワークデバイスと、リモートネットワークデバイスとを含む。前記統合ルータは、少なくとも１つのネットワークインタフェースと、電源から電力を受け取るように動作する電源入力と、電源出力と、前記電源入力を前記電源出力に電気的に接続するパワーサイクリングスイッチとを備える。前記第１のネットワークデバイスと前記第２のネットワークデバイスは、前記少なくとも１つのネットワークインタフェースを介して互いに電子通信するように動作する。前記リモートネットワークデバイスは、前記少なくとも１つのネットワークインタフェースを介して前記パワーサイクリングスイッチを切り替えるように動作する。前記電源出力は、前記パワーサイクリングスイッチの切り替えによって前記第２のネットワークデバイスの電源入れ直しが行われるように前記第２のネットワークデバイスに電力を供給するように動作する。特定の実施形態では、前記第１のネットワークデバイスと前記第２のネットワークデバイスが、別個のＯＳＩレイヤ３ネットワーク上に存在するように動作する。特定の実施形態では、前記リモートネットワークデバイスが前記第１のネットワークデバイスである。特定の実施形態では、前記少なくとも１つのネットワークインタフェースが、第３のネットワークデバイスを第４のネットワークデバイスと電子通信させるように動作する。特定の実施形態では、前記第３のネットワークデバイスと前記第４のネットワークデバイスは、別個のＯＳＩレイヤ３ネットワーク上に存在する。特定の実施形態では、前記統合ルータは、前記電源から前記第２のネットワークデバイスへの電力遮断を検出して、検出された電力遮断に関するデータを前記リモートネットワークデバイスに伝達するように動作する電圧低下検出器をさらに含む。特定の実施形態では、前記検出された電力遮断が３５ｍｓ以下である。特定の実施形態では、前記統合ルータは、前記電源からの電力を分析して、その電力に関するデータを前記リモートネットワークデバイスに伝達するように動作する電力波形モニタをさらに含む。特定の実施形態では、前記少なくとも１つのネットワークインタフェースが有線ネットワークインタフェースを含む。特定の実施形態では、前記少なくとも１つのネットワークインタフェースが無線ネットワークインタフェースを含む。特定の実施形態では、前記無線ネットワークインタフェースが、セルラー接続、ＷｉＦｉ接続、およびブルートゥース接続のうちの少なくとも１つである。
【００３１】
さらに他の実施形態は、方法を提供する。この方法は、統合ルータの少なくとも１つのネットワークインタフェースを介して第１のネットワークデバイスを第２のネットワークデバイスと電子通信させること、前記統合ルータの電源入力で電源からの電力を受け取ること、前記統合ルータのパワーサイクリングスイッチにより前記電源入力に電気的に接続された前記統合ルータの電源出力を介して前記第２のネットワークデバイスに電力を供給すること、リモートネットワークデバイスにより前記少なくとも１つのネットワークインタフェースを介して前記パワーサイクリングスイッチを切り替えることによって前記第２のネットワークデバイスの電源入れ直しを行うこと、を含む。特定の実施形態では、前記第１のネットワークデバイスと前記第２のネットワークデバイスは、別個のＯＳＩレイヤ３ネットワーク上に存在する。特定の実施形態では、前記リモートネットワークデバイスが前記第１のネットワークデバイスである。特定の実施形態では、前記方法は、前記少なくとも１つのネットワークインタフェースを介して第３のネットワークデバイスを第４のネットワークデバイスと電気通信させることをさらに含む。特定の実施形態では、前記第３のネットワークデバイスと前記第４のネットワークデバイスは、別個のＯＳＩレイヤ３ネットワーク上に存在する。特定の実施形態では、前記方法はさらに、前記電源から前記第２のネットワークデバイスへの電力遮断を前記統合ルータの電圧低下検出器により検出すること、および前記検出された電力遮断に関するデータを前記リモートネットワークデバイスに前記電圧低下検出器を介して伝達することを含む。特定の実施形態では、前記検出された電力遮断が３５ｍｓ以下である。特定の実施形態では、前記方法はさらに、前記電源からの電力を前記統合ルータの電力波形モニタにより分析すること、および前記電力に関するデータを前記リモートネットワークデバイスに前記電力波形モニタを介して伝達することを含む。特定の実施形態では、前記少なくとも１つのネットワークインタフェースが有線ネットワークインタフェースを含む。特定の実施形態では、前記少なくとも１つのネットワークインタフェースが無線ネットワークインタフェースを含む。特定の実施形態では、前記無線ネットワークインタフェースが、セルラー接続、ＷｉＦｉ接続、およびブルートゥース接続のうちの少なくとも１つである。
【００３２】
従って、理解され得るように、本発明は、ルーティング機能とパワーサイクリング機能の両方を実現する単一デバイスの展開および維持の容易さを向上させる。例えば、１つまたは複数のネットワークデバイスのネットワーク接続性と、接続された１つまたは複数のネットワークデバイスの電源入れ直しをリモートで行うための機能との両方を同じ統合デバイスを介して提供することにより、本発明は、個別のスタンドアロンルータとリモート電源スイッチとを組み込む従来のアプローチよりも、より小さくてより単純化されたフォームファクタを提供する。言い換えれば、本発明の実施形態は、リモートネットワークデバイスの位置に配置／設置する必要があるサポートデバイスの数を従来の設計と比較して最小限に抑え、より少ないスペースにより単純でより簡易な設置を提供する。
【００３３】
従って、デバイスの故障および／または更新の際に、本発明の実施形態は、単一のデバイスのみを交換またはアップグレードすることを必要とする。従って、本発明の実施形態は、メンテナンス担当者が設置、トラブル解消、および修理のために遠隔地で費やす必要がある時間を大幅に削減する。
【００３４】
加えて、本明細書に記載される材料の寸法およびタイプは、本発明のパラメータを定義することを意図しているが、それらは限定を意図するものではなく、例示的な実施形態である。上記の説明を検討すると、当業者には他の多くの実施形態が明らかである。従って、本発明の範囲は、添付の特許請求の範囲を参照して、そのような特許請求の範囲が権利を与えられる均等物の全範囲とともに決定されるべきである。添付の特許請求の範囲において、「〜を含む」および「〜であって」という用語は、「〜を備える」および「〜において」という用語のそれぞれ同等語として使用される。さらに、請求項における「第１」、「第２」、「第３」、「上部」、「下部」、「頂部」、「底部」などの用語は単にラベルとして使用され、それらの物体に順序または位置の要件を課すことを意図するものではない。さらに、請求項の限定は機能的手段（means-plus-function）の形式では記載されておらず、「〜手段」の後にさらなる構造の説明なしに機能の説明が続く記載を用いない限り、そのような請求項の限定は機能的手段として解釈されることを意図しない。
【００３５】
この明細書の記載は、複数の例を使用して最良の形態を含む本発明のいくつかの実施形態を開示するとともに、当業者がデバイスまたはシステムを作成および使用したり組み込まれた方法を実行したりすることを含む本発明の実施形態を実現できるようにするものである。本発明の特許性の範囲は特許請求の範囲によって定義され、当業者が想到する他の例を含み得る。このような他の例は、それらの例が請求項の文言と相違しない構造要素を有している場合、またはそれらの例が請求項の文言と実質的に相違しない同等の構造要素を含む場合、請求項の範囲内にあることが意図される。
【００３６】
本明細書において、「１つ」という文言で始まり単数形で列挙される要素またはステップは、除外することが明示的に述べられない限り、複数の要素またはステップを除外するものでないと理解されるべきである。さらに、本発明の「一実施形態」への言及は、列挙された特徴を同様に組み込む追加の実施形態の存在を除外するものとして解釈されることを意図していない。さらに、明確に反対の記述がない限り、特定の特性を有する要素または複数の要素を「備える」、「含む」、または「有する」実施形態は、その特性を持たない追加のそのような要素を含み得る。
【００３７】
本明細書に含まれる本発明の思想および範囲から逸脱することなく上記の発明に特定の変更を加えることができるため、添付の図面に示される上記の説明の主題はすべて、本明細書において本発明の概念を示す単なる例として解釈されるものであり、本発明を限定するものとして解釈されるべきではない。
【図１】
2020517202.tif 000003
【図２】
2020517202.tif 000004
【図３】
2020517202.tif 000005
【図４】
2020517202.tif 000006
【図５】
2020517202.tif 000007
【国際調査報告】
2020517202.tif 000008